(57)【要約】【課題】  ホログラム記録媒体等の感光性記録媒体の遮光及び防塵効果の高いカートリッジを提供する。【解決手段】感光性記録媒体を回転自在に収容すると共に、前記感光性記録媒体の中心と記録面とを外部に露呈させる第１の開口を有するカートリッジ本体と、前記カートリッジ本体に組み込まれて、前記第１の開口を閉じる閉じ位置と前記第１の開口を開放する開き位置との間で移動自在に配設され、前記第１の開口よりも大きな外形を有するシャッタと、を備える感光性記録媒体用カートリッジであって、前記シャッタの外周端部に、黒系のスポンジ、フェルト材、又は布から成る遮光用補助部材を設けた。【選択図】  図１
2007066394.tif 000002
【特許請求の範囲】
【請求項１】
感光性記録媒体を回転自在に収容すると共に、前記感光性記録媒体の中心と記録面とを外部に露呈させる第１の開口を有するカートリッジ本体と、
前記カートリッジ本体に組み込まれて、前記第１の開口を閉じる閉じ位置と前記第１の開口を開放する開き位置との間で移動自在に配設され、前記第１の開口よりも大きな外形を有するシャッタと、を備える感光性記録媒体用カートリッジであって、前記シャッタの外周端部に遮光用補助部材を設けたことを特徴とする感光性記録媒体用カートリッジ。
【請求項２】
前記遮光用補助部材は黒系可撓性素材であることを特徴とする請求項１記載の感光性記録媒体用カートリッジ。
【請求項３】
前記遮光用補助部材は黒系のスポンジ、フェルト材、又は布であることを特徴とする請求項２記載の感光性記録媒体用カートリッジ。
【請求項４】
前記シャッタは、該シャッタの外周端部に前記カートリッジ本体側に曲げられて形成された屈曲部を有し、前記カートリッジ本体は、前記外周端部に対応する位置に形成された突出部を有していることを特徴とする請求項１〜３のいずれか１項記載の感光性記録媒体用カートリッジ。
【請求項５】
前記屈曲部が、前記外周端部の、該シャッタを開く方向に移動する側の端部に形成されていることを特徴とする請求項４記載の感光性記録媒体用カートリッジ。
【請求項６】
前記シャッタは、前記開口を開閉するようにスライド移動する第１遮光板部と、該第１遮光板部の、前記シャッタを開く方向に移動する側の先端に、垂直に立設された第２遮光板部と、該第２遮光板部に対して前記シャッタが閉じる方向に垂直に立設された第３遮光板部とを有し、
前記カートリッジ本体に、前記シャッタが閉じ位置にあるときに、前記第１遮光板部と前記第３遮光板部の間に挿入される突条が設けられていることを特徴とする請求項４又は５記載の感光性記録媒体用カートリッジ。
【請求項７】
前記シャッタは、前記開口を開閉するようにスライド移動する第１遮光板部と、該第１遮光板部の、前記シャッタを開く方向に移動する側の先端に、垂直に立設された第２遮光板部とを有し、
前記突出部が、前記シャッタが閉じ位置にあるときに、前記第１遮光板部に対向するように形成された突出部上面と、前記第２遮光板部に対向するように形成された突出部側面とが設けられていることを特徴とする請求項４又は５記載の感光性記録媒体用カートリッジ。
【請求項８】
前記シャッタは、前記開口を開閉するようにスライド移動する第１遮光板部と、該第１遮光板部の、前記シャッタを開く方向に移動する側の先端に、垂直に立設された第２遮光板部と、該第２遮光板部に対して前記シャッタが開く方向に垂直に立設された第３遮光板部とを有し、
前記カートリッジ本体は、シャッタが閉じ位置にあるときに、前記第１遮光板部に対向するように形成された突出部上面と、前記第２遮光板部に対向するように形成された突出部側面と、該突出部上面の内側にオフセットされ、前記第３遮光板部に対向するように形成されたシャッタ摺動面とが設けられていることを特徴とする請求項４又は５記載の感光性記録媒体用カートリッジ。
【請求項９】
前記カートリッジ本体は、前記感光性記録媒体に対する内面と、前記シャッタに対する外面とに、表面粗さＲａ５〜２０μｍのマット加工、またはシボ加工が施されていることを特徴とする請求項１〜８のいずれか１項記載の感光性記録媒体用カートリッジ。
【請求項１０】
前記カートリッジ本体は、略板形状の第１シェルと、この第１シェルに重ね合わされて溶着される第２シェルから成り、前記第１シェル及び第２シェルは、同一または類似の熱可塑性プラスチックで形成され、かつ前記シャッタを含むその他の部品は、該第１シェル及び第２シェルと異なる材質で形成されていることを特徴とする請求項１〜９のいずれか１項記載の感光性記録媒体用カートリッジ。
【請求項１１】
前記第１シェル及び第２シェル、ならびにシャッタは、その成形に用いられるプラスチックに遮光性物質が０．０１〜５．００質量％添加されていることを特徴とする請求項１〜１０のいずれか１項記載の感光性記録媒体用カートリッジ。
【請求項１２】
前記第１シェル及び第２シェルと、シャッタは、その成形に用いられるプラスチックにカーボンブラックが０．０１〜２．００質量％添加されていることを特徴とする請求項１〜１１のいずれか１項記載の感光性記録媒体用カートリッジ。
【請求項１３】
前記第１シェル及び第２シェルと、シャッタは、その成形に用いられるプラスチックにシリコーン系滑剤が０．１〜５．０質量％添加されていることを特徴とする請求項１〜１２のいずれか１項記載の感光性記録媒体用カートリッジ。
【請求項１４】
前記感光性記録媒体としてホログラム記録媒体を請求項１〜１３のいずれか１項記載の感光性記録媒体用カートリッジに収容したことを特徴とするホログラム記録媒体内蔵カートリッジ。
【発明の詳細な説明】
【技術分野】
【０００１】
本発明は、感光性記録媒体を収容する感光性記録媒体用カートリッジに関し、更に詳しくは、感光性記録媒体としてホログラム記録媒体を収容する感光性記録媒体用カートリッジのカートリッジ本体とシャッタとの間の遮光性能及び防塵性能の改良に関する。
【背景技術】
【０００２】
データをホログラムによって記録するホログラム記録媒体が発明されている。（例えば、特許文献１参照）このホログラム記録媒体は、円板形状の支持体上に感光性材料から成るホログラム記録層が層設された感光性記録媒体であり、データをレーザ光の干渉縞として多層記録することにより、従来普及している記録媒体であるＤＶＤよりも大きなデータ記録容量を得ることができる。このホログラム記録媒体は、ホログラム記録層が曝光され、または塵芥が付着することによりその性能に悪影響が及ぶため、遮光機能及び防塵機能を有するカートリッジに収容されて取り扱われている。（例えば特許文献２参照）
【０００３】
特許文献１に記載の発明は、ＤＶＤ−ＲＡＭのカートリッジに類似したカートリッジにホログラム記録媒体を収容している。このカートリッジは、ホログラム記録層に影響を与える波長域の光線の透過率が小さい材質で形成されている。
また、特許文献２に記載の発明では、ホログラム記録層の感応色を遮光する材質でカートリッジを形成し、ホログラム記録媒体を外部に露呈させる可動部分の合わせ目には、スポンジ状の遮光材を貼付している。
【０００４】
【特許文献１】特開２００４−０２９４７６号公報
【特許文献２】特開２００３−３１７４２２号公報
【発明の開示】
【発明が解決しようとする課題】
【０００５】
一般的に、ディスク状の記録媒体を収容するカートリッジは、記録媒体を回転自在な状態で挟み込むようにして収容する上側シェル及び下側シェルと、これら上側シェル及び下側シェルに記録媒体の一部を外部に露呈させるように形成されている開口と、この開口を開閉するシャッタとを備えている構成が考えられる。
しかし、シャッタが開口を開閉自在に構成するため、シャッタと上側シェル及び下側シェルとの間には実質的に僅かな隙間が形成され、この隙間から光や塵芥が進入し、ホログラム記録媒体に悪影響を与えることが懸念される。
【０００６】
本発明は、上記事情を鑑みてなされたもので、その目的は、ホログラム記録媒体等の感光性記録媒体の遮光及び防塵効果の高いカートリッジを提供することにある。
【課題を解決するための手段】
【０００７】
上記目的を達成するため、請求項１記載の発明は、感光性記録媒体用カートリッジに係り、感光性記録媒体を回転自在に収容すると共に、前記感光性記録媒体の中心と記録面とを外部に露呈させる第１の開口を有するカートリッジ本体と、前記カートリッジ本体に組み込まれて、前記第１の開口を閉じる閉じ位置と前記第１の開口を開放する開き位置との間で移動自在に配設され、前記第１の開口よりも大きな外形を有するシャッタと、を備える感光性記録媒体用カートリッジであって、前記シャッタの外周端部に遮光用補助部材を設けたことを特徴としている。
【０００８】
請求項２記載の発明は、請求項１記載の感光性記録媒体用カートリッジにおいて、前記遮光用補助部材は黒系可撓性素材であることを特徴としている。
【０００９】
請求項３記載の発明は、請求項２記載の感光性記録媒体用カートリッジにおいて、前記遮光用補助部材が黒系のスポンジ、フェルト材、又は布であることを特徴としている。
【００１０】
請求項４記載の発明は、請求項１〜３のいずれか１項記載の感光性記録媒体用カートリッジにおいて、前記シャッタが、該シャッタの外周端部に前記カートリッジ本体側に曲げられて形成された屈曲部を有し、前記カートリッジ本体は、前記外周端部に対応する位置に形成された突出部を有していることを特徴としている。
請求項５記載の発明は、請求項４記載の感光性記録媒体用カートリッジにおいて、前記屈曲部が、前記外周端部の、該シャッタを開く方向に移動する側の端部に形成されていることを特徴としている。
【００１１】
請求項６記載の発明は、請求項４又は５記載の感光性記録媒体用カートリッジにおいて、前記シャッタが、前記開口を開閉するようにスライド移動する第１遮光板部と、該第１遮光板部の、前記シャッタを開く方向に移動する側の先端に、垂直に立設された第２遮光板部と、該第２遮光板部に対して前記シャッタが閉じる方向に垂直に立設された第３遮光板部とを有し、前記カートリッジ本体に、前記シャッタが閉じ位置にあるときに、前記第１遮光板部と前記第３遮光板部の間に挿入される突条が設けられていることを特徴としている。
【００１２】
請求項７記載の発明は、請求項４又は５記載の感光性記録媒体用カートリッジにおいて、前記シャッタが、前記開口を開閉するようにスライド移動する第１遮光板部と、該第１遮光板部の、前記シャッタを開く方向に移動する側の先端に、垂直に立設された第２遮光板部とを有し、前記突出部が、前記シャッタが閉じ位置にあるときに、前記第１遮光板部に対向するように形成された突出部上面と、前記第２遮光板部に対向するように形成された突出部側面とが設けられていることを特徴としている。
【００１３】
請求項８記載の発明は、請求項４又は５記載の感光性記録媒体用カートリッジにおいて、前記シャッタが、前記開口を開閉するようにスライド移動する第１遮光板部と、該第１遮光板部の、前記シャッタを開く方向に移動する側の先端に、垂直に立設された第２遮光板部と、該第２遮光板部に対して前記シャッタが開く方向に垂直に立設された第３遮光板部とを有し、前記カートリッジ本体が、シャッタが閉じ位置にあるときに、前記第１遮光板部に対向するように形成された突出部上面と、前記第２遮光板部に対向するように形成された突出部側面と、該突出部上面の内側にオフセットされ、前記第３遮光板部に対向するように形成されたシャッタ摺動面とが設けられていることを特徴としている。
【００１４】
請求項９記載の発明は、請求項１〜８のいずれか１項記載の感光性記録媒体用カートリッジにおいて、前記カートリッジ本体が、前記感光性記録媒体に対する内面と、前記シャッタに対する外面とに、表面粗さＲａ５〜２０μｍのマット加工、またはシボ加工が施されていることを特徴としている。
【００１５】
請求項１０記載の発明は、請求項１〜９のいずれか１項記載の感光性記録媒体用カートリッジにおいて、前記カートリッジ本体が、略板形状の第１シェルと、この第１シェルに重ね合わされて溶着される第２シェルから成り、前記第１シェル及び第２シェルが、同一または類似の熱可塑性プラスチックで形成され、かつ前記シャッタを含むその他の部品は、該第１シェル及び第２シェルと異なる材質で形成されていることを特徴としている。
【００１６】
請求項１１記載の発明は、請求項１〜１０のいずれか１項記載の感光性記録媒体用カートリッジにおいて、前記第１シェル及び第２シェル、ならびにシャッタが、その成形に用いられるプラスチックに遮光性物質が０．０１〜５．００質量％添加されていることを特徴としている。
【００１７】
請求項１２記載の発明は、請求項１〜１１のいずれか１項記載の感光性記録媒体用カートリッジにおいて、前記第１シェル及び第２シェルと、シャッタは、その成形に用いられるプラスチックにカーボンブラックが０．０１〜２．００質量％添加されていることを特徴としている。
【００１８】
請求項１３記載の発明は、請求項１〜１２のいずれか１項記載の感光性記録媒体用カートリッジにおいて、前記第１シェル及び第２シェル、ならびに、シャッタが、その成形に用いられるプラスチックにシリコーン系滑剤が０．１〜５．０質量％添加されていることを特徴としている。
【００１９】
請求項１４記載の発明は、ホログラム記録媒体内蔵カートリッジに係り、感光性記録媒体としてホログラム記録媒体を請求項１〜１３のいずれか１項記載の感光性記録媒体用カートリッジに収容したことを特徴としている。
【発明の効果】
【００２０】
請求項１記載の発明によれば、シャッタの外周端部に遮光用補助部材を設けたので、光や塵芥がカートリッジ本体の開口から進入し難くなり、感光性記録媒体を感光させず、かつ清浄な状態で収容することができる。
請求項２記載の発明によれば、記遮光用補助部材に黒系可撓性素材を用いることで、光がカートリッジ本体の開口からさらに進入し難くなる。
請求項３記載の発明によれば、遮光用補助部材に黒系のスポンジ、フェルト材、又は布を用いることで、低コストで大きな遮光効果が得られる。
【００２１】
請求項４記載の発明によれば、光や塵芥がシャッタと上側シェル及び下側シェルとの間の隙間を通ってカートリッジ内の感光性記録媒体に進入するのが困難になり、感光性記録媒体を感光させず、かつ清浄な状態で収容することができる。
【００２２】
請求項５記載の発明によれば、いわゆるラビリンス構造となるので、光や塵芥はシャッタと上側シェル及び下側シェルとの間の隙間を通ってカートリッジ内の感光性記録媒体に進入するのが一層困難になり、感光性記録媒体を感光させず、かつ清浄な状態で収容することができる。
【００２３】
請求項６記載の発明によれば、シャッタが閉じ位置にあるときに、第１遮光板部と第３遮光板部の間に挿入される突条が設けられているので、カートリッジ本体の開口をシャッタで閉じた状態では、シャッタとカートリッジ本体との間の隙間が４回折り曲げられた構成となり、シャッタの開閉方向と平行に入射する光が、シャッタと上側シェル及び下側シェルとの間の隙間を通ってカートリッジ内の感光性記録媒体に進入することを防止でき、塵芥が進入することも防止できる。
【００２４】
請求項７記載の発明によれば、シャッタが閉じ位置にあるときに、第１遮光板部に対向するように形成された突出部上面と、第２遮光板部に対向するように形成された突出部側面が設けられているので、カートリッジ本体の開口をシャッタで閉じた状態では、シャッタとカートリッジ本体との間の隙間が２回折り曲げられた構成となり、シャッタの開閉方向と平行に入射する光が、シャッタと上側シェル及び下側シェルとの間の隙間を通ってカートリッジ内の感光性記録媒体に進入することを簡単な構成で防止でき、塵芥が進入する場合も同様になる。
【００２５】
請求項８記載の発明によれば、カートリッジ本体は、シャッタが閉じ位置にあるときに、第１遮光板部に対向するように形成された突出部上面と、第２遮光板部に対向するように形成された突出部側面、突出部上面の内側にオフセットされ、第３遮光板部に対向するように形成されたシャッタ摺動面が設けられているので、カートリッジ本体の開口をシャッタで閉じた状態では、シャッタとカートリッジ本体との間の隙間が２回折り曲げられた構成となり、シャッタの開閉方向と平行に入射する光は、シャッタと上側シェル及び下側シェルとの間の隙間を通ってカートリッジ内の感光性記録媒体に進入するのは困難になり、塵芥が進入する場合も同様に困難になる。そのため、感光性記録媒体を感光させず、かつ清浄な状態で収容することができる。
【００２６】
請求項９記載の発明によれば、上記カートリッジ本体が表面粗さＲａ５：〜２０μｍのマット加工、またはシボ加工が施されているので、カートリッジ内部や、カートリッジ本体とシャッタとの間に光が進入した場合でも、粗面によって光を拡散、減衰させることができるため、感光性記録媒体に対する影響を軽減させることができる。
【００２７】
請求項１０記載の発明によれば、上記カートリッジ本体が同一または類似の熱可塑性プラスチックで形成され、かつシャッタを含むその他の部品は異なる材質で形成されているので、第１シェルと第２シェルとの溶接時に第１シェル及び第２シェルとその他の部品とが溶着してしまうのを防止することができる。
【００２８】
請求項１１記載の発明によれば、カートリッジとシャッタが成形に用いられるプラスチックに遮光性物質を０．０１〜５．００質量％添加しているので、カートリッジ本体とシャッタとの光透過率を小さくすることができ、カートリッジの遮光性能を向上させることができる。
【００２９】
請求項１２記載の発明によれば、カートリッジとシャッタの成形に用いられるプラスチックにカーボンブラックを使用する場合、カーボンブラックが０．０１〜２．００質量％添加されているので、カートリッジ本体とシャッタとの光透過率を小さくすることができ、カートリッジの遮光性能を向上させることができる。
【００３０】
請求項１３記載の発明によれば、カートリッジとシャッタの成形に用いられるプラスチックにシリコーン系滑剤を０．１〜５．０質量％添加しているので、シャッタの動作が滑らかになるため、シャッタとカートリッジ本体との間の摩擦により削り屑等が発生するのを防止することができる。
【００３１】
請求項１４記載の発明によれば、このような遮光及び防塵効果の高いカートリッジを、特にホログラム記録媒体の収納容器として使用することで、ホログラム記録媒体を常に遮光及び防塵状態に置くことができる。
【発明を実施するための最良の形態】
【００３２】
〈第１の実施形態〉
本発明を用いたホログラム記録媒体用カートリッジ（以下、カートリッジと省略する）の第１の実施形態について図面に基づいて詳しく説明する。
図１〜図３は、第１の実施形態のカートリッジの外観形状を示す斜視図で、図１は第１の実施形態のカートリッジのシャッタを閉じた状態の外観斜視図、図２は図１のカートリッジのシャッタを開放にした状態の外観斜視図、図３は図１のカートリッジを裏面側から見た外観斜視図である。
また、図４はカートリッジの装填方向のカートリッジ断面図、図５はカートリッジの装填方向に直交する方向の断面図である。そして、図６はカートリッジ本体を分解した斜視図、図７はシャッタをカートリッジから抜き出して一部破断で示す斜視図である。
【００３３】
〈カートリッジ全体の構成〉
図１〜図７において、カートリッジ１０は、記録ディスクＤを回転自在に収容するカートリッジ本体２０と、このカートリッジ本体２０の両面の開口３０ｄ、４０ｄを外側から開閉するシャッタ５０と、シャッタ５０が不用意に開かないようにカートリッジ本体２０に組み込まれるロック機構６０（上側シェル用６１、下側シェル用６２）とから成る。
また、カートリッジ本体２０は、上側シェル３０と、上側シェル３０の下面に接合される下側シェル４０とから構成されている。
【００３４】
また、シャッタ５０は、シャッタの遮光対策として、本発明によりシャッタの外周端部に遮光用補助部材Ｓを設けている。遮光用補助部材Ｓは、具体的には、遮光用補助部材は黒系可撓性素材で、黒系のスポンジ、フェルト材、布等が使用されている。
これによって、シャッタ５０とカートリッジ本体２０との隙間が塞がれるので、大きな遮光効果が得られる。
ただ、シャッタ５０の構成やカートリッジ本体２０との細かな係合関係を説明するためには、遮光用補助部材Ｓが描かれていると見難くなるので、遮光用補助部材Ｓは図１〜図３に描いて、図４以下の図面では遮光用補助部材Ｓを除去して図示し、その都度、文中に遮光用補助部材Ｓの存在を記載しておくこととする。
以下に、各部品について、それぞれ説明する。
【００３５】
〈カートリッジ本体〉
カートリッジ１０の中心部分であるカートリッジ本体２０はその内部に記録ディスクＤを遮光的に収納するためのもので、図６はカートリッジ本体２０を分解した斜視図である。
図に示すように、カートリッジ本体２０は、矩形薄皿状の上側シェル３０と、同じく矩形薄皿状の下側シェル４０とから構成されており、下側シェル４０のディスク収容部４０ｃに記録ディスクＤを乗せて、上側シェル３０を下側シェル４０の上面に重ね合わせ、周囲を超音波溶着することによって両者が固着して成る。
【００３６】
〈上側シェル〉
上側シェル３０（図６）の内面（下側シェル４０に対向する面）には、その中央部に記録ディスクＤを収納できるように記録ディスクＤと略同じ円形の大きさ（同じ半径）のディスク収容部３０ｃを形成する内側環状凸部３０ａと、上側シェル３０の矩形と略大きさの外周凸部３０ｂと、ディスク収容部３０ｃに収容した記録ディスクＤを外部に露呈させて外部からのピックアップ部が挿入される外部からのピックアップ部が挿入される開口３０ｄと、２箇所の位置決め穴３０ｅと、２箇所の位置決め穴３０ｅの周囲をそれぞれ取り囲むように設けられる遮光壁３０ｆとが形成されている。
【００３７】
〈下側シェル〉
一方、下側シェル４０（図６）の内面（上側シェル３０に対向する面）には、その中央部に同じく記録ディスクＤの下半分を収納できるように記録ディスクＤと略同じ円形の大きさ（同じ半径）のディスク収容部４０ｃを形成する内側環状凹部４０ａ（図では４０ａは正確には内側環状凹部の溝を指している。）と、下側シェル４０の矩形と略大きさの外周凹部４０ｂ（図では４０ｂは正確には外周凹部の溝を指している。）と、ディスク収容部４０ｃに収容した記録ディスクＤを外部に露呈させて外部からのピックアップ部が挿入される開口４０ｄと、２箇所の位置決め穴４０ｅと、２箇所の位置決め穴４０ｅの周囲をそれぞれ取り囲む遮光壁４０ｆとが形成されている。
【００３８】
また、下側シェル４０の側面には、シャッタバネ５９（図７）の一端５９ｇが掛けられるバネ掛け片４０ｇと、シャッタ５０のバネを一端がバネ掛け片４０ｇに掛けられた状態で収納するスペースとなる切欠部４０ｈとが設けられている。
【００３９】
〈記録ディスク〉
記録ディスクＤ（図６）はディスク状に形成され、そのディスクの両面に感光性材料から成るホログラム記録層が設けられた感光性記録媒体である。ホログラム記録層には、例えば、緑色５３２ｎｍ〜青色４０５ｎｍの波長域のレーザ光により、データがレーザ光の干渉縞として多層記録される。
記録ディスク媒体Ｄはカートリッジ本体２０の内部に設けられたディスク収容部３０ｃ、４０ｃ内に回転自在に収容されている。そして、記録ディスクＤの中心部に穴Ｄ１があけられており、ここに外部装置（図示なし）からの回転用ドライバ（図示なし）がカートリッジ本体２０の開口３０ｄ又は４０ｄを介してアクセスする。
【００４０】
〈カートリッジ本体の完成〉
そこで、ディスク収容部４０ｃに記録ディスクＤを乗せ、上側シェル３０を下側シェル４０の上面に重ね合わせると、上側シェル３０の内側環状凸部３０が下側シェル４０の内側環状凹部４０ａの溝に挿入され、上側シェル３０の外周凸部３０ｂが下側シェル４０の外側凹部４０ｂの溝に挿入され、上側シェル３０の遮光壁３０ｆが下側シェル４０の位置決め用遮光壁４０に挿入されて、両者の結合を強固にし、さらに、上側シェル３０の外周凸部３０ｂを超音波溶着によって下側シェル４０の外側凹部４０ｂの溝に固着することにより、上側シェル３０と下側シェル４０とが強固に接合されるため、両者の合わせ目に隙間が開くようなことはない。
【００４１】
〈周壁の遮光対策：図８〉
図６では、上側シェル３０の外周凸部３０ｂと下側シェル４０の外側凹部４０ｂの溝とを１対で示しているが、遮光性を高めるために、２対設けるとさらに嵌合および遮光効果は大きくなる。
図８は２対の凹凸部をシェルの外周に形成した図４のＤ矢印部を拡大した拡大図である。図に示すように、下側シェル４０の内側の凹部４０１ｂの溝内に嵌合された上側シェル３０の内側の環状凸部３０１ｂの先端３０１ｃが下側シェル４０の凹部溝底面４０１ｃに近接対向し、また、外側の凹部４０２ｂの溝内に嵌合された上側シェル３０の外側の環状凸部３０２ｂの先端３０２ｃが下側シェル４０の凹部溝底面４０２ｃに当接することにより、ディスク収容部３０ｃ、４０ｃの外周は、複数のラビリンス状の遮光構造によって取り囲まれるため、下側シェル４０及び上側シェル３０の合わせ目から光や塵芥がディスク収容部４０ｃ内に進入することはなくなる。
【００４２】
〈位置決め穴の遮光対策：図９〉
また、位置決め穴３０ｅ、４０ｅからの遮光を確実にするために、図９の断面図に示すように、位置決め穴３０ｅの外周も、内側の遮光壁３０ｆと外側の遮光壁４０ｆの嵌合によりラビリンス状の遮光構造を採用することで、位置決め穴３０ｅ、４０ｅから光や塵芥が進入することがなくなる。
更に、位置決め穴３０ｅ、４０ｅは、内側環状凸部３０ａ（図１）、内側環状凹部４０ａ（図１）から成る遮光構造の反ディスク側に配置されるため、ディスク収容部３０ｃ、４０ｃの遮光性及び防塵性に影響はない。
さらに、カートリッジ本体２０を構成する上側シェル３０と下側シェル４０は、遮光性物質の熱可塑性プラスチックによって形成されているので遮光性が向上している。
【００４３】
〈シャッタ〉
図１に戻って、シャッタ５０は、バネ５９によって閉じ位置（図１、図５Ａ）である矢印Ｃ方向に付勢されており、独立して動作するようにカートリッジ１０の両面にそれぞれ設けられたロック機構６０（上側シェル用６１（図１）、下側シェル用６２（図３））によって閉じ位置でロックされている。
開口３０ｄ、４０ｄ（図５Ａ）はこの状態ではカートリッジ１０の外側に移動自在に設けられたシャッタ５０によって閉じられており（図１はシャッタ５０が開口３０ｄ、４０ｄを閉じている状態を表している。）、そのため、カートリッジ１０に対する振動や衝撃等によってシャッタ５０が移動し、開口３０ｄ、４０ｄが不用意に開放されることはない。
そして、シャッタ５０が矢印Ｂ方向の開き位置に向けて移動されることにより開口３０ｄ、４０ｄは開放される（図５Ｂ）。図２はシャッタ５０が開き位置の移動している状態を斜視図で表しており、この状態で開口３０ｄが露出しているので、記録ディスクＤはその中心から半径方向先端部まで一部露出している。
【００４４】
〈シャッタの構成〉
次に、カートリッジの外側に設けられるシャッタについて説明する。
図７はシャッタの構成を説明するためにカートリッジから抜き出して一部破断で示す斜視図である。図において、シャッタ５０は、断面が略コ字状をして成り、カートリッジ本体２０の装填方向Ａ側の先端側面に配置される(コ字状の連結部分に当たる)ベース部５２と、カートリッジ本体２０の上下面を挟み込むようにベース部５０に一体に形成される(コ字状の上辺と下辺に当たる)上側シャッタ板５３及び下側シャッタ板５４とから成る。また、遮光用補助部材Ｓが図１のようにシャッタの外周端部に存在しているが、見易くするため図示は省略している。
【００４５】
シャッタ５０は、上側シェル３０及び下側シェル４０とは種類の異なるプラスチックにより形成されており、さらに、このプラスチックには、下側シェル４０及び上側シェル３０の成形に用いたプラスチックと同様に、遮光性物質と滑剤とが添加されている。
【００４６】
ベース部５２の内面には、シャッタバネ５９の一端（図２）が掛けられるバネ掛け片５２ａ（図４、図７）が一体に設けられている。
シャッタバネ５９の他端５６ｇは、下側シェル４０のバネ掛け片４０ｇ（図７）に掛けられた状態で下側シェル４０の装填方向Ａ側の先端縁部に設けられた細長い切欠部４０ｈに収納され、シャッタ５０を閉じ位置に向けて付勢する。
【００４７】
また、シャッタ５０の上側シャッタ板５３及び下側シャッタ板５４の内面には、ガイド突起５３ｄ、５４ｄ（図４）が形成されており、これに対応して上側シェル３０及び下側シェル４０の外面には、ガイド突起５３ｄ、５４ｄが挿入されるガイド溝３０ｎ、４０ｎ（図４）が形成されている。
シャッタ５０がカートリッジ本体２０の外面上で図１から図２の状態に移動し、又はその逆方向に移動する際に、これらガイド突起５３ｄ、５４ｄがガイド溝３０ｎ、４０ｎ内で移動する。
これにより、シャッタ５０はカートリッジ本体２０から外れることなく、スムーズに移動することができようになる。なお、下側シェル４０及び上側シェル３０とシャッタ５０は、原材料のプラスチックに滑剤が添加されているため、シャッタ５０の移動時の摩擦によって削り屑等が発生することはない。
【００４８】
上記遮光性物質として様々な物質を添加することができるが、使用する遮光性物質に応じて、例えば、０．０１〜５．００質量％を添加することが好ましい。また、上記遮光性物質として、例えば、カーボンブラックを用いることができる。カーボンブラックの添加量としては、０．０１〜２．００質量％が好ましい。添加量が０．０１質量％を超えると、遮光性及び物理強度の向上という効果が表れるが、２．００質量％を超えると物理強度が低下するためである。
【００４９】
上記滑剤として、例えば、シリコーン系滑剤を用いることができる。このシリコーン系滑剤の添加により摩擦抵抗が低減するため、シャッタ５０の移動による削り屑の発生を少なくすることができる。また、輸送時の衝撃で記録ディスクＤとカートリッジ１０の内壁とが接触した場合の削り屑の発生も低減することができる。さらに、機器への挿入性能の取り扱い性が向上する。また、流動性が向上するため、成形時の混練性、射出成形等の加工性も向上する。
【００５０】
なお、シリコーン系滑剤の添加量としては、０．１〜３．０質量％が好ましい。０．１質量％以下では効果が少なく、３．０質量％以上では、流動性がよくなりすぎて混練、成形時にスクリューと樹脂とに滑りが生じて、加工性が悪化し、製品表面にブリードアウトして記録ディスクＤや使用者の手などに付着し、取り扱い性、外観性で不具合を生じることがあるためである。
なお、共重合シリコーンを使用する場合には、上記不具合は生じにくくなるため、５．０質量％まで添加することが可能である。
【００５１】
〈シャッタの遮光対策１〉
＝ラビリンス構造１＝
上側シェル３０及び下側シェル４０の各外面には、スリット形成片３０ｊ、４０ｊ（図２、図５、図７）が形成されており、スリット形成片３０ｊ、４０ｊが形成するスリット３０ｊ’、４０ｊ’（図５）に、上側シャッタ板５３及び下側シャッタ板５４の閉じ方向Ｃの側端縁５３ｊ（図２、図５、図７）、５４ｊ（図５、図７）が閉じ位置（図１、図５Ａの位置）において、それぞれ挿入される。
このように、シャッタ５０の各端縁５３ｊ、５４ｊが、閉じ位置において、上側シェル３０及び下側シェル４０の溝３０ｊ’、４０ｊ’（図２、図５）の中にそれぞれ挿入することで、ラビリンス構造が形成され、これによって、シャッタ５０が閉じ位置にある状態（図１、図５Ａの位置）での開き方向側の縁部５３ｊ、５４ｊの遮光が確保されることになる。
【００５２】
＝ラビリンス構造２＝
上側シェル３０及び下側シェル４０の各外面には、スリット形成片３０ｋ、４０ｋ（図１、図４）が形成されており、スリット形成片３０ｋ、４０ｋが形成するスリット３０ｋ’、４０ｋ’（図１、図４）の中に、上側シャッタ板５３及び下側シャッタ板５４の装填方向Ａ（図２）と反対側の後端縁５３ｋ、５４ｋ（図４、図７）がそれぞれ挿入されている。
このように、シャッタ５０の後端縁５３ｋ、５４ｋ（図４、図７）が、上側シェル３０及び下側シェル４０の３０ｋ’、４０ｋ’（図１、図４）にそれぞれ挿入されていることで、ラビリンス構造が形成され、これによって、シャッタ５０が閉じ位置にある状態（図１、図４の位置）での後端縁部５３ｋ、５４ｋの遮光が確保されることになる。
【００５３】
＝ラビリンス構造３＝
また、上側シャッタ板５３及び下側シャッタ板５４は、シャッタの開閉方向（図１でＢ−Ｃ方向）に沿った断面図（図５）で見て、それぞれ略「７」字形状に形成され、屈曲部として機能している。すなわち、上側シェル３０及び下側シェル４０の各開口３０ｄ、４０ｄ（図５、図６）を開閉するメインの遮光部である第１遮光板部５３ａ、５４ａと、第１遮光板部５３ａ、５４ａのシャッタを開く方向（図１のＢ、図５で右方向）に移動する側の先端にて垂直に互いに内向きに立設された第２遮光板部５３ｂ、５４ｂと、第２遮光板部５３ｂ、５４ｂの先端にてシャッタ５０が閉じる方向（図１のＣ、図５で左方向）にそれぞれ垂直に立設された第３遮光板部５３ｃ、５４ｃが形成されている。
【００５４】
一方、上側シェル３０及び下側シェル４０の外面（記録ディスクＤの収納される面の反対面）には、それぞれ上側シャッタ板５３及び下側シャッタ板５４に設けられた第１遮光板部５３ａ、５４ａと第２遮光板部５３ｂ、５４ｂと第３遮光板部５３ｃ、５４ｃとによって形成される長溝内に挿入される突出部３０ｍ、４０ｍ（図５、図６）が形成されている。
【００５５】
そして、シャッタ５０が閉じ位置（図１）にあるときに、上側シェル３０及び下側シェル４０の各突出部３０ｍ、４０ｍは、それぞれ第１遮光板部５３ａ、５４ａと第２遮光板部５３ｂ、５４ｂと第３遮光板部５３ｃ、５４ｃとによって形成される長溝内に挿入されている（図５Ａ）。
【００５６】
このようなラビリンス構造によって、シャッタ５０が閉じ位置にある状態（図１、図５Ａ）での開き方向側の縁部５３ｂ、５４ｂの遮光が確保されることになる。
【００５７】
以上のように、シャッタ５０が閉じ位置にあるとき、上側シャッタ板５３及び下側シャッタ板５４は、その３辺でそれぞれ上側シェル３０及び下側シェル４０と凹凸で噛合うラビリンス構造を形成しているので、３辺からの遮光が確保されることになる。
【００５８】
〈シャッタの遮光対策２：遮光用補助部材〉
図１に戻って、本発明では、シャッタの遮光対策として、シャッタの外周端部に遮光用補助部材Ｓを設けるようにして、シャッタ５０（５２、５３、５４）とカートリッジ本体２０とにできる隙間を埋めている。遮光用補助部材Ｓは黒系可撓性素材であるのが好ましく、例えば、黒系のスポンジ、フェルト材、又は布が適当である。これらは、柔らかい素材でできているので、カートリッジ本体２０に接触してもカートリッジ本体２０を傷つけることがなく、耐久性もよいので、長年の使用に耐えうるものである。
【００５９】
図１において、遮光用補助部材Ｓは、上側シャッタ板５３及び下側シャッタ板５４の閉じ方向Ｃの側端縁５３ｊ（図２、図５、図７）、５４ｊ（図５、図７）に設けられると、シャッタ５０の各端縁５３ｊ、５４ｊの遮光用補助部材Ｓが、閉じ位置において、上側シェル３０及び下側シェル４０の溝３０ｊ’、４０ｊ’（図２、図５）の中にそれぞれ挿入することで、隙間が塞がれて、シャッタ５０が閉じ位置にある状態（図１、図５Ａの位置）での開き方向側の縁部５３ｊ、５４ｊの遮光が確保されることになる。
【００６０】
また、図１において、遮光用補助部材Ｓは、上側シャッタ板５３及び下側シャッタ板５４の装填方向Ａ（図２）と反対側の後端縁５３ｋ、５４ｋ（図４、図７）の表側および裏側に設けられると、シャッタ５０の各端縁５３ｋ、５４ｋの遮光用補助部材Ｓが、上側シェル３０及び下側シェル４０のスリット形成片３０ｋ、４０ｋ（図１、図４）により形成されるスリット３０ｋ’、４０ｋ’（図１、図４）の中に挿入していることで、隙間が塞がれ、後端縁部５３ｋ、５４ｋの遮光が確保されることになる。
【００６１】
さらに、図１において、遮光用補助部材Ｓは、上側シャッタ板５３及び下側シャッタ板５４の第２遮光板部５３ｂ、５４ｂ（図５）の表面、および第３遮光板部５３ｃ、５４ｃ（図５）の上側シェル３０及び下側シェル４０の対向側に設けられている。
これを図５の上側シャッタ板５３及び上側シェル３０のＦの矢視拡大図である図１２に基づいて説明すると、遮光用補助部材Ｓは図を見易くするため図示しないが、上側シャッタ板５３の第２遮光板部５３ｂの上側シェル３０に対向する面Ｓ１に上側シェル３０との隙間を埋めるように設けられている。
さらに、第３遮光板部５３ｃの上側シェル３０に対向する面Ｓ１に上側シェル３０との隙間を埋めるように設けられている。
したがって、シャッタ５０が閉じ位置にあるとき、各遮光用補助部材Ｓが、上側シェル３０との間にできる隙間を塞ぐので、第２遮光板部５３ｂおよび第３遮光板部５３ｃの遮光が確保されることになる。
【００６２】
さらに、図１において、遮光用補助部材Ｓは、上側シャッタ板５３と下側シャッタ板５４の連結部であるベース部５２の両端裏側（カートリッジ側）に設けられている。したがって、シャッタ５０が閉じ位置にあるとき、各遮光用補助部材Ｓが、連結部５２とカートリッジ本体２０との間にできる隙間を塞ぐので、ここから進入する光の遮光が確保されることになる。
従来装置（特許文献２）では、記録媒体を外部に露呈させる可動部分の狭い合わせ目にスポンジの遮光材を貼付していたが、これでは細い内部への貼付製造が困難で、完全な遮光が得られなかったが、本発明のように、シャッタの外周端部に遮光用補助部材を設けるようにするので、製造が簡単で、かつ正確な位置決め貼付が可能となり、高度な遮光が得られるようになる。
【００６３】
〈カートリッジの使用方法〉
カートリッジ１０（図１）は、記録ディスクＤにデータを記録する別置きの記録装置や、記録ディスクＤからデータを読み出す再生装置に設けられたカートリッジスロットの中に、装填方向Ａへ向けて挿入される。
記録装置または再生装置のカートリッジスロットの中に装填されたカートリッジ１０は、カートリッジ１０の両端に設けられた位置決め穴３０ｅ（図１）（図３では４０ｅ）によって位置決めされ、シャッタ５０が開き位置に移動されて開口３０ｅ、４０ｅが開放される（図２、図５Ｂ）。
例えば、図１に示す状態でカートリッジ１０が装置に装填された場合には、下面の開口４０ｄ（図３）から別置き装置のピックアップ部がカートリッジ１０内に挿入され、記録ディスクＤの下面のホログラム記録層に対しデータが記録または再生される。
また、図３に示すように、カートリッジ１０を裏返して装置に装填した場合には、下面に配置される開口３０ｄから別置きの装置のピックアップ部が挿入され、図１における記録ディスクＤの上面のホログラム記録層にデータが記録または再生される。
【００６４】
〈ロック機構〉
図１０は上側シェルに組み込まれたロック機構を分解斜視図で示している。
図において、ロック機構６１は、上側シェル３０の外面に形成されてスリット３０ｊにつなげられたロック機構凹部６１０と、ロックバネ６１１と、前記凹部６１０内に組み込まれるロックレバー６１２と、ロック機構用凹部６１０を塞ぐ板状のロックカバー６１３とから成る。なお、シャッタ５０の外周端部には図１のように遮光用補助部材Ｓが設けられているが、他の部材を説明するため、図示を省略している。
【００６５】
このロック機構６１は、シャッタ５０の上側シャッタ板５３に一体に形成された被係合爪５３ｚにロックレバー６１２の爪部１２ｚを係合させることにより、シャッタ５０を閉じ位置（図１、図５Ａ）でロックする。
【００６６】
ロックバネ６１１は捩じりバネから成り、軸部６１２ｂに挿入されて一端がロックレバー６１２に掛けられ、他端がロック機構用凹部６１０の内壁面に当接されることによりロックレバー６１２を図中時計方向に向けて付勢する。
【００６７】
ロックレバー６１２には、被係合爪５３ｚに係合する係合爪６１２ｚと、ロック機構用凹部６１０内に形成された穴６１０ａに回転自在に挿入される軸部６１２ｂと、前述の三叉形状の解除用係合部６１ａとが一体に設けられている。
解除用係合部６１ａは、ロックカバー６１３に形成された穴６１３ａにより外部に突出しないように露呈される。ロック機構用凹部６１０内の符号６１０ｂは、ロックバネ６１１によって付勢されたロックレバー６１２を受け止めて、被係合爪５３ｚに係合する係合位置に保持する保持片である。
【００６８】
以上のロック機構６１は、シャッタ５０の上側シャッタ板５３に一体に形成されたものであるが、これと同じロック機構が、下側シェル４０にも組み込まれている。符号６２（図３）は下側シャッタ板５４に一体に形成されたロック機構を示している。その中は上記説明のロック機構６１（図１０）と同じであるので、重複説明は省略する。
【００６９】
〈ロック解除機構〉
次に、ロック機構６１、６２のロック解除機構について、説明する。
別置きの記録装置及び再生装置内には、カートリッジ１０のロック機構６０（図１）を解除するロック解除機構Ｌと、シャッタ５０を閉じ位置（図１）と開き位置（図２）との間で移動させるシャッタ開閉機構とが組み込まれている。
シャッタ５０が閉じ位置（図１）にあるときには、ロックバネ６１１（図１０）の付勢によって係合爪６１２ａが被係合爪５３ｚに係合している。これにより、シャッタ５０の開き方向への移動が規制されるため、シャッタ５０が不用意に開放されて記録ディスクＤが曝光されることはない。
【００７０】
次に、ロック解除したい時は、図２に示すように、ロック解除機構Ｌが、装置内で解除冶具Ｌ１（上側シェル用）、Ｌ２（下側シェル用）をその軸方向からカートリッジ１０に近づき、カートリッジ１０の両面にそれぞれ設けられた上側シェル用ロック機構６１（図１）、下側シェル用ロック機構６２（図３）の各解除用係合部６１ａ、６２ａに上側シェル用解除治具Ｌ１、下側シェル用シェル用解除治具Ｌ２の先端の３本の係合ピンＰ１から成る三叉形状部をそれぞれ係合させ、反時計方向に回転すると、ロックレバー６１２もロックバネ６１１の付勢に抗して反時計方向に回転され、これにより係合爪６１２ａと被係合爪５３ｚとの係合が解除され、シャッタ５０が移動可能となる。なお、シャッタ５０は、シャッタバネ５９によって閉じ位置に付勢されているため、ロック解除によりシャッタ５０が開くことはない。
【００７１】
そして、別置き装置のシャッタ開閉機構（図示なし）がシャッタ５０の側面に形成された穴５０ｂ（図１）に駆動用のピン（図示なし）を挿入し、かつ開き方向Ｂに移動させる。これにより、シャッタ５０がスライド移動され、図５（Ｂ）に示すように、カートリッジ１０の両面の開口３０ｄ、４０ｄが開放される。これにより、図２及び図５（Ｂ）に示すように、シャッタ５０が開き位置に移動され、開口３０ｄ、４０ｄが開放され、記録ディスクＤのホログラム記録層がカートリッジ１０から露呈される。
【００７２】
なお、詳しくは図示しないが、ロック機構６２は、上記ロック機構６１と同様に、かつロック機構６１とは独立してロック及びロック解除が行われる。そのため、シャッタ５０の閉じ位置でのロックを解除するには、上下両面のロック機構６０（上側シェル用６１、下側シェル用６２）を同時に解除しなければならない。これにより、カートリッジ１０が単体で外部にあるときに誤ってシャッタ５０が開放される危険性は非常に小さくなる。
【００７３】
〈超音波溶着の確実化：図１１〉
上側シェル３０と下側シェル４０との超音波溶着による接合をより確実に行うには、図１１に示すように、外周凸部３０ｂの先端３０ｐに突起状のエネルギーダイレクタ３０ｑを設けるとよい。エネルギーダイレクタ３０ｑを設けて超音波溶着を行うと、超音波のエネルギーがエネルギーダイレクタ３０ｑに集中するため、外周凸部３０ｂと下側シェル４０とをより強固に溶着することができる。なお、上側シェル３０と下側シェル４０との間の超音波溶着は、外周凸部３０ｂ（図６）の全周で行ってもよいし、一定間隔でスポット的に行ってもよい。
【００７４】
〈粗面形成について：図１２および図１３〉
図５の矢視部Ｆの拡大図である図１２に示すように、上側シェル３０の内面には粗面３０ｒが、及び上側シェル３０のシャッタ５０に対面する外面には粗面３０ｓがそれぞれ形成されている。この粗面３０ｒ、３０ｓは、カートリッジ１０内やカートリッジ本体２９とシャッタ５０との間に進入した光を減衰させ、記録ディスクＤのホログラム記録層への悪影響を最小限にする役割を果たしている。なお、同じく、３０ｒ、３０ｓは、下側シェル４０の同じ部位にも設けられている。また、シャッタ５０に対面する粗面３０ｓは、上側シェル３０のスリット形成片３０ｊ（図５）、下側シェル４０のスリット形成片４０ｊ（図５）、及び３０ｊ（図１０）、３０ｋ（図１０）、３０ｍ（図１０）内にも設けられている。
更に、図１３に示すように、下側シェル４０の内周凹部の溝４０ａの内面にも粗面４０ｕを、そして上側シェル３０の内側環状凸部３０ａの外面にも粗面３０ｕを設けてもよいし、シャッタ５０の各シャッタ板５３、５４２の内面に粗面を設けてもよい。
【００７５】
〈第２の実施形態：図１４〉
次に、本発明を用いたホログラム記録媒体用カートリッジの第２の実施形態について説明する。なお、以下に説明する実施形態において、すでに説明した部材などと同等な構成、作用を有する部材等については、図中に同一符号又は相当符号を付すことにより、説明を簡略化あるいは省略する。
図１４は第２実施形態の場合の図５の矢視部Ｆの拡大図である。シャッタ板１５３には、開口１３０ｄを開閉するようにスライド移動する第１遮光板部１５３ａと、第１遮光板部１５３ａのシャッタ１５０を開く方向Ｂ（図で右側）に移動する側の先端に垂直に立設された第２遮光板部１５３ｂが形成されており、したがって、各シャッタ板１５３の開く方向Ｂの側端縁は開閉方向の断面で略Ｌ字形状の屈曲部として機能している。上側シェル１３０の外面に設けられた突出部１３０ｔには、シャッタ１５０が閉じ位置にあるときに、第１遮光板部１５３ａに対向するように形成された突出部上面１３０ｓと、第２遮光板部１５３ｄに対向するように形成された突出部側面１３０ｍが設けられている。
【００７６】
シャッタ１５０が閉じ位置にあるとき、シェル１３０に設けられた突出部上面１３０ｓと突出部側面１３０ｍはそれぞれ第１遮光板部１５３ａ、第２遮光板部１５３ｂと対向する。これにより、カートリッジ本体２０ａとシャッタ板１５０との間もラビリンス状の遮光構造によって取り囲まれるため、カートリッジ本体２０ａとシャッタ１５０との隙間から光や塵芥が進入するのを効果的に防止することができる。
【００７７】
また、第１の実施形態と同じように、上側シェル１３０の内面に対面する外面である突出部上面１３０ｓは粗面が形成されている。また、同じように、上側シェル１３０のシャッタ１５０に対面する外面である突出部側面１３０ｍに粗面を形成してもよい。この突出部上面１３０ｓと突出部側面１３０ｍは、カートリッジ１０内やカートリッジ本体２０とシャッタ１５０との間に進入した光を減衰させ、記録ディスクＤのホログラム記録層への悪影響を最小限にするために設けられている。なお、図１４では上側シェル１３０の構成について説明したが、下側シェル１４０も全く同じ構成とすることができる。
【００７８】
さらに、第２の実施形態においても、遮光用補助部材Ｓが、上側シャッタ板５３及び下側シャッタ板５４の第２遮光板部５３ｂ、５４ｂ（図５）の表面（図５）の上側シェル３０及び下側シェル４０の対向側に設けられている。
これを図５のＦの矢視拡大図である図１４に基づいて説明すると、遮光用補助部材Ｓ１は図を見易くするため図示しないが、上側シャッタ板１５３の第２遮光板部１５３ｂの上側シェル３０に対向する面Ｓ１に上側シェル１３０との隙間を埋めるように設けられている。
さらに、裏側の上側シェル１３０の突出部１３０ｔに対向する面Ｓ２にも上側シェル１３０との隙間を埋めるように設けられている。
したがって、シャッタ１５０が閉じ位置にあるとき、各遮光用補助部材Ｓ１、Ｓ２が、上側シェル３０との間にできる隙間を塞ぐので、第２遮光板部１５３ｂの２面の遮光が確保されることになる。
【００７９】
〈第３の実施形態：図１５〉
次に、本発明を用いたホログラム記録媒体用カートリッジの第３の実施形態について説明する。図１５は第２実施形態の場合の図５の矢視部Ｆの拡大図である。各シャッタ板２５３には、開口２３０ｄを開閉するようにスライド移動する第１遮光板部２５３ａと、第１遮光板部２５３ａのシャッタ１５０を開く方向（図で右側）に移動する側の先端に垂直に立設された第２遮光板部２５３ｂと、第２遮光板部２５３ｂに対してシャッタ１５０が開く方向（図で右側）に垂直に立設された第３遮光板部２５３ｄが形成されており、シャッタ板２５３の開き方向Ｂの側端縁は、開閉方向の断面で略階段状の屈曲部として機能する。上側シェル２３０の外面に設けられた突出部２３０ｔには、シャッタ２５０が閉じ位置にあるときに、第１遮光板部２５３ａに対向するように形成された突出部上面２３０ｓと、第２遮光板部２５３ｂに対向するように形成された突出部側面２３０ｍと、突出部上面２３０ｓの内側にオフセットされ、第３遮光板部２５３ｄに対向するように形成されたシャッタ摺動面２３０ｖが設けられている。
【００８０】
シャッタ２５０が閉じ位置にあるとき、上側シェル２３０に設けられた突出部上面２３０ｓと突出部側面２３０ｍとシャッタ摺動面２３０ｖとは、それぞれ第１遮光板部２５３ａと、第２遮光板部２５３ｂと、第３遮光板部２５３ｄとに対向しているので、上側シェル２３０とシャッタ板２５３との間もラビリンス状の遮光構造によって取り囲まれるため、上側シェル２３０とシャッタ２５０との隙間から光や塵芥が進入するのを効果的に防止することができる。
【００８１】
また、第１の実施形態と同じように、突出部上面２３０ｓには粗面が形成されている。同じく、突出部側面２３０ｍにも粗面を形成してもよい。この突出部上面２３０ｓと突出部側面２３０ｍとシャッタ摺動面２３０ｖとは、カートリッジ１０（図１）内やカートリッジ本体２０（図２）とシャッタ２５０との間に進入した光を減衰させ、記録ディスクＤのホログラム記録層への悪影響を最小限にするために設けられている。なお、図示しないが、突出部上面２３０ｓと突出部側面２３０ｍとシャッタ摺動面２３０ｖは下側シェルにも同じように設けられている。
【００８２】
さらに、第３の実施形態においても、遮光用補助部材Ｓが、上側シャッタ板５３及び下側シャッタ板５４の第２遮光板部５３ｂ、５４ｂ（図５）等の上側シェル３０及び下側シェル４０の対向側に設けられている。
これを図５のＦの矢視拡大図である図１５に基づいて説明すると、遮光用補助部材Ｓは図を見易くするため図示しないが、上側シャッタ板２５３の第２遮光板部２５３ｂの上側シェル２３０に対向する面Ｓ２に上側シェル２３０との隙間を埋めるように設けられている。
さらに、第３遮光板部２５３ｄの上側シェル３０の突出部１３０ｔに対向する面Ｓ１に上側シェル２３０との隙間を埋めるように設けられている。
したがって、シャッタ２５０が閉じ位置にあるとき、各遮光用補助部材Ｓ、Ｓ２が、上側シェル２３０との間にできる隙間を塞ぐので、第２遮光板部２５３ｂおよび第３遮光板部２５３ｄの遮光が確保されることになる。
【実施例】
【００８３】
次に、本発明の実施例について説明する。
上側シェル及び下側シェルの成形に用いる熱可塑性プラスチックには、ＰＢＴ、ＡＢＳ、ＰＯＭ、ＰＳ、ＰＰ、ＨＤＰＥ、ＰＡ、ＰＥＴ、ＰＰＳ、ＳＡＮ（スチレン−アクリルロニトル共重合）、ＰＭＭＡ、ＰＣ等を用いることができる。
また、超音波溶着による誤溶着防止のために、上側シェル及び下側シェル以外の部品については、上記熱可塑性プラスチックの中から、上側シェル及び下側シェルに使用したものと異なるものを選択するとよい。
【００８４】
上側シェル及び下側シェルには、厚み０．２ｍｍにおいて可視光線透過率が１．０％以下の遮光性を有するプラスチックを使用し、必要な物理的強度を得るために、その肉厚を０．２〜１．６ｍｍの範囲で形成するのが好ましい。
上記遮光性を有するプラスチックを得るには、遮光性物質を添加するとよい。
遮光性物質としては、種々のものを用いることができ、使用する遮光性物質に応じて０．０１〜５．００質量％を添加するのが好ましい。遮光性物質としては、以下のようなものが挙げられる。
【００８５】
（１）無機化合物
Ａ．酸化物・・・シリカ、ケイ藻土、アルミナ、酸化チタン、酸化鉄（鉄黒）、酸化亜鉛、酸化マグネシウム、酸化アンチモン、バリウムフェライト、ストロンチウムフェライト、酸化ベリリウム、軽石、軽石バルーン、アルミナ繊維等
Ｂ．水酸化物・・・水酸化アルミニウム、水酸化マグネシウム、塩基性炭酸マグネシウム等
Ｃ．炭酸塩・・・炭酸カルシウム、炭酸マグネシウム、ドロマイト、ドーソナイト等
Ｄ．（亜）硫酸塩、・・・硫酸カルシウム、硫酸バリウム、硫酸アンモニウム、亜硫酸カルシウム等
Ｅ．ケイ酸塩・・・タルク、クレー、マイカ、アスベスト、ガラス繊維、ガラスバルーン、ガラスビーズ、ケイ酸カルシウム、モンモリロナイト、ベントナイト等
Ｆ．炭素・・カーボンブラック、グラファイト、炭素繊維、炭素中空球等
Ｇ．その他・・・鉄粉、銅粉、鉛粉、アルミニウム粉、硫化モリブデン、ポロン繊維、炭化ケイ素繊維、黄銅繊維、チタン酸カリウム、チタン酸ジルコン酸鉛、ホウ酸亜鉛、メタホウ酸バリウム、ホウ酸カルシウム、ホウ酸ナトリウム、アルミニウムペースト、タルク等
（２）有機化合物
木粉（松、樫、ノコギリクズなど）、穀繊維（アーモンド、ピーナッツ、モミ殻など）、木綿、ジュート、紙細片、非木材繊維（ワラ、ケナフ、竹、エスパルト、パガス、モロヘイヤ、煙火など）、セロハン片、ナイロン繊維、ポリプロピレン繊維、デンプン（変性デンプン、表面処理デンプンも含む）、芳香族ポリアミド繊維等
【００８６】
これらの遮光性物質に中で、写真性に悪影響を及ぼすことが少なく、１５０℃以上でも熱に安定で不透明化する無機化合物が好ましく、特に、耐熱性、耐光性が優れ比較的不活性な物質である、光吸収性のカーボンブラックと窒化チタンとグラファイト及び鉄黒が好ましい。
【００８７】
遮光性物質としてカーボンブラックを使用する場合には、その添加量を０．０１〜２．００質量％とするのが好ましい。上述したように、遮光性及び物理強度のバランスがよいプラスチックを得るためである。
【００８８】
カーボンブラックの原料による分類例をあげるとガスブラック、ファーネスプラック、チャンネルブラック、アントランセンブラック、アセチレンブラック、ケッチェンカーボンプラック、サーマルブラック、ランプブラック、油煙、松煙、アニマルプラック、ベジタブルブラック等がある。
【００８９】
好ましいカーボンブラッグの市販品の代表例としては、例えば三菱化成製のカーボンブラック＃６１ａ（Ｂ）、＃３０（Ｂ）、＃３３（Ｂ）、＃４０（Ｂ）、＃４１（Ｂ）、＃４４（Ｂ）、＃４５（Ｂ）、＃５０、＃５５、＃１００、＃６００、＃９５０、＃１０００、＃６１ａ００（Ｂ）、＃２４００（Ｂ）、ＭＡ８、ＭＡ１００等が挙げられる。また、電気化学製のデンカブラック、東海カーボンのシースト、旭カーボンの旭＃６１３、昭和キャボネットのショウワブラック、新日鉄化学のニテロン、三菱化学のダイヤモンドブラック等の各種グレードのものも用いることができる。
【００９０】
海外の製品としては、例えばキャボネット社のＢｌａｃｋ  Ｐｅａｒｌｓ  ２、４６、３０ｎ、４０ｎ、７４、８０、８１、６０７等、Ｒｅｇａｌ１３００、３３０，４００，６６０、９９１、ＳＲＦ−Ｓ等、Ｖｕｌｃａｎ  ３、６等、Ｓｔｅａｒｌｉｎｇ１０、ＳＯ、Ｖ、Ｓ、ＦＴ−ＦＦ、ＭＴ−ＦＦ等が挙げられる。
【００９１】
さらにアシュランドケミカル社のＵｎｉｔｅｄ  Ｒ、ＢＢ，１５，１０２，３００１，３００４，３００６，３００７，３００８、３００９，３０１１，３０１２、ＸＣ−３０１６、ＸＣ−３０１７、３０６１ａ等が挙げることができるが、本発明は、これらに限定されるものではない。
【００９２】
また、上側シェル及び下側シェルと、シャッタとに添加する滑剤としては、シリコーン系滑剤、特に各種グレードのジメチルポリロキサンを使用することができ、東レ、ダウコーニング、シリコーン、ＧＥ東芝シリコーン、旭化成ワッカーシリコーン、信越化学等から市販されている各種グレードのものを使用することができる。なお、マスターバッチ、練りこみ品のどちらでも使用可能である。なお、シリコーン系滑剤の添加量としては、０．１〜５．０質量％が好ましい。上述したように、摩擦抵抗と、製品品質、製造適正のバランスのよいプラスチックを得るためである。
【００９３】
また、シェルに設ける粗面としては、表面粗さＲａ：５μｍ以下だと光拡散効果が薄く、６１ａμｍ以上だと記録ディスクとの接触面に傷を発生させるおそれがある。そのため、表面粗さＲａ：５〜６１ａμｍのマット加工、またはシボ加工が好ましい。
【００９４】
また、上側シェルと下側シェルとの固着に超音波溶着を用いたが、その他の溶着方法及び固着方法を用いてもよい。例えば、ネジなどで固着する場合には、ネジ穴の周囲にも遮光構造を形成するのが好ましい。
【００９５】
更に、両面に記録が可能な記録ディスクを収容するカートリッジを例に説明したが、一方の面に記録される記録ディスクに対応させてもよい。この場合には、開口を一方の面にのみ形成し、シャッタでこの開口を開閉する。また、ホログラム記録媒体を収容するカートリッジを例に説明したが、その他の感光性を有する記録媒体を収容するカートリッジにも本発明を適用することができる。
【００９６】
また、本発明に係るカートリッジは、シャッタの外周端部とカートリッジ本体の屈曲部との間でラビリンス構造を形成することができれば、シャッタの屈曲部は、シャッタを開く方向に移動する側の端部に限定されず、シャッタの外周端部のいずれの部位に屈曲部を設けて設けてもよい。例えば、図７に示すように、シャッタ板５３、５４の後端縁５３ｋ、５４ｋに屈曲部を形成し、これら後端縁５３ｋ、５４ｋの屈曲部に対応する位置にカートリッジ本体側の突出部を形成してもよい。
【図面の簡単な説明】
【００９７】
【図１】第１の実施形態のカートリッジの外観を示す斜視図である。
【図２】カートリッジのシャッタ開放状態を示す外観斜視図である。
【図３】カートリッジの裏面側の外観形状を示す斜視図である。
【図４】カートリッジ装填方向の断面図である。
【図５】カートリッジの装填方向に直交する方向の断面図である。
【図６】カートリッジ本体の構成を示す分解斜視図である。
【図７】シャッタの構成を示す分解斜視図である。
【図８】凸部及び凹部から成る遮光構造を示す断面図である。
【図９】位置決め穴の遮光構造を示す断面図である。
【図１０】カートリッジの構成を示す分解斜視図である。
【図１１】エネルギーダイレクタを設けた遮光構造の断面図である。
【図１２】第１の実施形態の上側シェルの断面図である。
【図１３】凸部及び凹部に設けた粗面を示す断面図である。
【図１４】第２実施形態の上側シェルの断面図である。
【図１５】第３実施形態の上側シェルの断面図である。
【符号の説明】
【００９８】
Ｓ  遮光用補助部材
Ｄ  記録ディスク
１０  カートリッジ
２０  カートリッジ本体
３０、１３０、２３０  上側シェル
３０ａ  内側環状凸部
３０ｂ  外周凸部
３０ｃ  ディスク収容部
３０ｄ、１３０ｄ、２３０ｄ  開口
３０ｅ  位置決め穴
３０ｆ  遮光壁
３０ｊ  スリット形成片
３０ｊ’スリット形成片が形成するスリット
３０ｋ  スリット形成片
３０ｋ’  スリット形成片が形成するスリット
３０ｍ  突出部
３０ｎ  ガイド溝
３０ｒ、３０ｓ、３０ｕ  粗面
４０  下側シェル
４０ａ  内側環状凹部
４０ｂ  外周凹部
４０ｃ  ディスク収容部
４０ｄ  開口
４０ｅ  位置決め穴
４０ｆ  遮光壁
４０ｇ  バネ掛け片
４０ｈ  切欠部
５０  シャッタ
５２  ベース部
５３、１５３、２５３  上側シャッタ板
５４  下側シャッタ板
５３ａ、５４ａ、１５３ａ、２５３ａ  第１遮光板部
５３ｂ、５４ｇ、１５３ｂ、２５３ｂ  第２遮光板部（開き方向側縁部）
５３ｃ、５４ｃ  第３遮光板部
５３ｊ、５４ｊ  閉じ方向の側端縁
５３ｋ、５４ｋ  装填方向Ａ反対側の後端縁
５９  シャッタバネ
６０  ロック機構
６１  上側シェル用ロック機構
６２  下側シェル用ロック機構
６１０  ロック機構凹部
６１１  ロックバネ
６１２  ロックレバー
６１３  ロックカバー
【図１】
2007066394.tif 000003
【図２】
2007066394.tif 000004
【図３】
2007066394.tif 000005
【図４】
2007066394.tif 000006
【図５】
2007066394.tif 000007
【図６】
2007066394.tif 000008
【図７】
2007066394.tif 000009
【図８】
2007066394.tif 000010
【図９】
2007066394.tif 000011
【図１０】
2007066394.tif 000012
【図１１】
2007066394.tif 000013
【図１２】
2007066394.tif 000014
【図１３】
2007066394.tif 000015
【図１４】
2007066394.tif 000016
【図１５】
2007066394.tif 000017